(57)【要約】【課題】自然な目覚めを促すと共に、より確実に起床時刻に目覚めさせる表示装置を提供する。【解決手段】  液晶テレビ１は、受信部３、信号処理部４、制御部５、操作部６、表示部１０を備える。受信部３は、放送を受信し、ＴＳを出力する。信号処理部４は、ＴＳから映像信号、音声信号を分離し、デコードする。調整処理部４２は、色相を調整する。表示部１０は、液晶パネル駆動回路１１１、バックライト駆動回路１２を備える。ＯＳＤ合成部４３は、ＯＳＤ（On Screen Display）を合成する。目覚まし予定時刻の３０分前になると、液晶テレビ１の電源をオンにする。その後、制御部５は、バックライト駆動回路１２に指示して、バックライト１３を次第に明るくする。目覚まし予定時刻になると、受信部３は放送を受信し、回路１１１は、液晶パネル１００に映像を表示すると共に、スピーカ２１、２２は、放送の音声を放音する。【選択図】  図２
2009025263.tif 000002
【特許請求の範囲】
【請求項１】
映像を表示する表示パネルと、
前記表示パネルに映像信号を出力する映像信号出力部と、
音声信号を出力する音声信号出力部と、
前記表示パネルの表示を制御する表示制御手段と、を備える表示装置において、
前記表示制御手段は、予め定めた目覚まし予定時刻より所定時間前から、前記表示パネルの表示を次第に明るくするように制御し、
音声信号出力部は、前記所定時刻前から前記目覚まし予定時刻になるまで音声信号を出力せず、前記目覚まし予定時刻になると音声信号を出力する表示装置。
【請求項２】
前記映像信号出力部は、前記目覚まし予定時刻の前記所定時刻前から、前記目覚まし予定時刻になるまで、無地の映像または静止画を出力し、前記目覚まし予定時刻になると映像コンテンツの映像信号を出力し、
前記音声信号出力部は、前記目覚まし予定時刻になると、前記映像コンテンツに付随する音声信号を前記映像コンテンツと同期して出力する請求項１に記載の表示装置。
【請求項３】
前記映像信号出力部は、前記目覚まし予定時刻になると画面全体を点滅させる請求項１に記載の表示装置。
【請求項４】
前記音声信号出力部は、前記目覚まし予定時刻になると画面全体を点滅させるに同期したリズムでアラーム音を出力する請求項３に記載の表示装置。
【請求項５】
前記映像信号出力部は、テレビ放送を受信する受信部を備え、
前記映像信号出力部は、前記映像コンテンツの映像信号として、テレビ放送の映像信号を出力する請求項２に記載の表示装置。
【請求項６】
前記表示パネルは、液晶パネルと、液晶パネルを背後から照らすバックライトと、を備え、
前記輝度制御手段は、前記バックライトに印加する電圧、または液晶パネルに印加する電圧のいずれか１以上を制御することにより、前記表示パネルの明るさを制御する請求項１〜４に記載の表示装置。
【請求項７】
映像を表示する表示パネルに前記表示パネルに映像信号を出力する映像信号出力部と、  音声信号を出力する音声信号出力部と、前記表示パネルの表示を制御する表示制御手段と、を備える表示出力装置を用いて行う目覚まし処理方法において、
前記表示制御手段を用いて、予め定めた目覚まし予定時刻より所定時間前から、前記表示パネルの表示を次第に明るくするように制御すると共に、前記音声信号出力部を用いて、前記所定時刻前から前記目覚まし予定時刻になるまで音声信号を出力しない第１のステップと、
前記目覚まし予定時刻になると音声信号出力部を用いて音声信号を出力する第２のステップと、を実行する目覚まし処理方法。
【発明の詳細な説明】
【技術分野】
【０００１】
本発明は、目覚まし機能を備えた表示装置に関する。
【背景技術】
【０００２】
従来、目覚まし機能を備えた表示装置が開示されている。特許文献１には、人体の生体情報を検出する所定の方法により同定された睡眠段階情報に基づいて、テレビ等の動作、音量、明るさを制御する装置が開示されている。特許文献２には、設定時刻から、音声のオンオフを繰り返しながら、次第に音量を大きくするスヌーズモードにより目覚めるようにさせる目覚まし機能を備えた表示装置が開示されている。この特許文献には、音声の変更に応じて、表示画像の状態を変化させる旨の記載がある。
【０００３】
また、表示装置としては、液晶表示器などが一般に用いられている。液晶表示器は、２枚の透明板と、この透明板にマトリクス状に多数形成された透明電極と、２枚の透明板の間に入れた液晶と、各電極に電圧を印加するドライバと、液晶を表示面の背後から照らすバックライトを備えている。ドライバにより各印加すると、バックライトにより照らされた光の透過率が変わり、表示面の各ドットに明暗を表示する。
【特許文献１】特開２００５−１５２３１０公報
【特許文献２】特開平０９−６１５６２号公報
【発明の開示】
【発明が解決しようとする課題】
【０００４】
しかしながら、特許文献１の構成では、画面の明るさの制御方法についての記載があるが、具体的な方法については、なんら具体的な開示がない。また、自然な目覚めを促すために、呼吸、心拍等の生態情報を得るのは大掛かりであった。また、特許文献１の装置は、睡眠段階情報に基づいて明るさの変化等を行うが、目覚まし予定時刻と生体のサイクルとが必ずしも合致するとは限らない。したがって、ユーザは、起きるつもりのない時間に目覚ませられる虞があった。また、予定時刻に、目覚まさせる状態へ確実に移行させる点で十分ではない虞があった。
【０００５】
また、特許文献２のようにスヌーズモードにより目覚めさせる方法は、自然な目覚めを促す点で十分でなかった。即ち、たとえ少しの音量から音声の出力を開始しても、実際には、静かな朝の時間においては、十分な音量に感じられて目覚めされることが多い。したがって、自然に目覚めさせる点では、普通の時計のアラーム機能と変わらない虞があった。また、スヌーズモードでは、装置が動作を開始するのがセットした時間からであって、これは、起床できなかった場合にはさらに音声を断続的に出力して補うものである。したがって、たとえ、表示装置に目覚まし予定時刻より前の時刻をセットしていても、自然な目覚めを促すことを前提としていないから、予定時刻に確実に目覚まさせる上で十分ではない虞があった。
【０００６】
本発明はこのような従来の課題を解決しようとするものであり、自然な目覚めを促すと共に、より確実に起床時刻に目覚めさせる表示装置を提供することを目的とする。
【課題を解決するための手段】
【０００７】
前記課題を解決するために以下の構成を備えることができる。
【０００８】
（１）  映像を表示する表示パネルと、
前記表示パネルに映像信号を出力する映像信号出力部と、
音声信号を出力する音声信号出力部と、
前記表示パネルの表示を制御する表示制御手段と、を備える表示装置において、
前記表示制御手段は、予め定めた目覚まし予定時刻より所定時間前から、前記表示パネルの表示を次第に明るくするように制御し、
音声信号出力部は、前記所定時刻前から前記目覚まし予定時刻になるまで音声信号を出力せず、前記目覚まし予定時刻になると音声信号を出力する。
【０００９】
この構成の表示装置によれば、表示装置に出力する光により、目覚まし予定時刻前に予め自然な目覚めを促すことができ、これによって眠りが浅くなった状態で、起床時刻に音声を出力するから、より確実に起床時刻に目覚めさせることができる。
【００１０】
（２）  前記映像信号出力部は、前記所定時刻前から前記目覚まし予定時刻になるまで、無地の映像または静止画を出力し、前記目覚まし予定時刻になると映像コンテンツの映像信号を出力し、
前記音声信号出力部は、前記目覚まし予定時刻になると、前記映像コンテンツに付随する音声信号を前記映像コンテンツと同期して出力する。
【００１１】
この構成では、目覚まし時刻に映像コンテンツを出力するから、ユーザを引き付け、目覚まし時刻にユーザに目覚めを促すことができる。
【００１２】
（３）  前記映像信号出力部は、前記目覚まし予定時刻になると画面全体を点滅させるようにしてもよい。この構成によれば、目覚まし予定時刻になると、確実にユーザに目覚めを促すことができる。
【００１３】
（４）  前記音声信号出力部は、前記目覚まし予定時刻になると画面全体を点滅させるに同期したリズムでアラーム音を出力する。この構成によれば、目覚まし予定時刻になると、（３）の構成に増して、より確実にユーザに目覚めを促すことができる。
【００１４】
（５）  前記映像信号出力部は、テレビ放送を受信する受信部を備え、
前記映像信号出力部は、前記映像コンテンツの映像信号として、テレビ放送の映像信号を出力するようにしてもよい。
【００１５】
（６）  前記表示パネルは、液晶パネルと、液晶パネルを背後から照らすバックライトと、を備え、
前記輝度制御手段は、前記バックライトに印加する電圧、または液晶パネルに印加する電圧のいずれか１以上を制御することにより、前記表示パネルの明るさを制御するようにしてもよい。
【００１６】
表示パネルとして液晶パネルを用いる場合、前記液晶パネルの明るさを制御する方法としては、バックライトに印加する電圧を調整するか、前記液晶パネルに印加する電圧を調整する方法があるので、これらの方法を利用できる。
【００１７】
（７）  映像を表示する表示パネルに前記表示パネルに映像信号を出力する映像信号出力部と、  音声信号を出力する音声信号出力部と、前記表示パネルの表示を制御する表示制御手段と、を備える表示出力装置を用いて行う目覚まし処理方法において、
前記表示制御手段を用いて、予め定めた目覚まし予定時刻より所定時間前から、前記表示パネルの表示を次第に明るくするように制御すると共に、前記音声信号出力部を用いて、前記所定時刻前から前記目覚まし予定時刻になるまで音声信号を出力しない第１のステップと、
前記目覚まし予定時刻になると音声信号出力部を用いて音声信号を出力する第２のステップと、を実行するようにしてもよい。
【発明の効果】
【００１８】
この発明の表示装置によれば、目覚まし予定時刻前に表示パネルの表示を次第に明るく制御することにより、予め自然な目覚めを促すことができる。これによって眠りが浅くなった状態で、目覚まし予定時刻に音声を出力するから、ユーザは、より確実に目覚まし予定に目覚めさせることができる。
【発明を実施するための最良の形態】
【００１９】
図１、図２を用いて、本発明の実施形態である液晶テレビ（テレビジョン）について説明する。図１は、本発明の実施形態である液晶テレビの透視図である。
液晶テレビ１は、液晶パネル１００、複数の液晶ドライバ１１ａ，１１ｂ、液晶パネルの表示面の背面側から光を発光するU字管のバックライト１３と、スピーカ２１、２２と、メイン基板１５、リモコン受信部２３を備える。
【００２０】
液晶パネル１００は、２枚の透明板と、その中に入れられた液晶と、２枚の透明板それぞれに張られた偏向板と、各画素の位置で液晶に電圧を印加するための透明電極を有する。液晶ドライバ１１ａ、１１ｂは、それぞれＤ／Ａ変換器を含んでおり、出力すべき各画素の色調に応じて、それぞれの画素に電圧を印加する。印加した電圧に応じて液晶分子が移動し、この画素の位置で、液晶パネル１００を透過する光の透過率が変わる。
【００２１】
この仕組みをより具体的に説明する。液晶ドライバ１１ａ、１１ｂは、例えば、ドライバＩＣ１１０ａ、１１０ｂを搭載したフレキシブルプリント基板であるＣＯＦ（Chip On Film）で形成される。液晶ドライバ１１ａは、横方向に複数配置されている。液晶ドライバ１１ａは、各々複数の出力端子があり、それぞれの液晶パネル１００の横方向に並ぶ信号線の各端子に接続されている。信号線は、液晶パネル１００を縦方向に横切る透明の電導体であり、横方向に並べて配置されている。信号線の数は、液晶パネル１００の表示可能な横方向のドット数に対応している。液晶パネル１００の横方向のドット数のこれらの複数の液晶ドライバ１１ａにより、各信号線に電圧を独立に印加することができる。
【００２２】
液晶ドライバ１１ｂは、縦方向に複数配置されている。液晶ドライバ１１ｂは、各々複数の出力端子があり、液晶パネル１００の縦方向に並ぶ走査線の各端子に接続されている。走査線は、液晶パネル１００を横方向に横切る透明の電導体であり、縦方向に並べて配置されている。走査線の数は、液晶パネル１００が表示可能な縦方向のドット数に対応している。これらの複数の液晶ドライバ１１ａにより、各走査線に電圧を独立に印加することができる。
【００２３】
液晶パネル１００は、これらの信号線、走査線に対応してマトリクス状に画素が形成されている。信号線から、出力するＲＧＢの値に応じた電圧が印加され、保持される。各画素には、電子スイッチが形成されている。この電子スイッチは、走査線に電圧が出力されたことを条件にオンになり、信号線の電圧が各画素に印加される。これにより各画素を選択して、所定の電圧を印加することができる。これにより、バックライト１３で照らされた液晶パネル１００の光の透過率を変えることができる。これにより、液晶パネル１００は、文字、画像を表示する。
【００２４】
バックライト１３は、液晶パネルの背面側に配置され、光を発する。例えば、冷陰極管（CCFL：Cold  Cathode  Fluorescent  Lamp）とすることができる。バックライト１３により照らされた光は、液晶パネル１００の表示面に透過するが、ドライバＩＣにより、各画素の光の透過率が変わり、液晶パネル１００の表示面に画像が表示される。
【００２５】
なお、バックライト１３の背面には、図示しない反射板が設けられており、液晶パネル１００の表示面側に光を反射する。
【００２６】
スピーカ２１、２２は、音声を放音する。リモコン受信部２３は、図示しないリモコンからの赤外信号を受信する。
【００２７】
メイン基板１５は、バックライト１３の反射板の背後に設けられている。後述の図２で示す液晶テレビ１の背面のメイン基板に接続されている。メイン基板の制御部、信号処理回路は、図１に示す構成を各々制御する。
【００２８】
図２を用いて、液晶テレビ１内部の構成について説明する。図２は、本発明の実施形態である液晶テレビの主要部の構成を示すブロック図である。液晶テレビ１は、受信部３、信号処理部４、制御部５、操作部６、表示部１０を備える。メイン基板１５には、バックライト駆動回路１２、受信部３、信号処理部４と、表示部１０のうちの液晶パネル駆動回路１１１、操作部６のリモコン受信部が搭載されている。また、受信部３は、液晶テレビ１の背面に設けたコネクタを介して、アンテナ１０１に接続されている。
【００２９】
アンテナ１０１は、電波を受信する。受信部３は、チューナパック、地上デジタルモジュール、チューナ制御部、復調回路、誤り訂正回路を備えている。チューナパックは、ＩＦフィルタ、ＩＦアンプ等を備えている。ＩＦフィルタ（intermediate frequency）はチューナ制御部から指示された所定の物理チャンネルの信号を通す。ＩＦアンプは、この信号を増幅する。これにより、チューナパックは、チューナ制御部により指定されたチャンネルの放送信号を抽出する。また、復調回路は、入力された放送信号をデジタルデータであるＴＳ（トランスポートストリーム）にＯＦＤＭ（Orthogonal Frequency Division Multiplexing）復調し、誤り訂正回路に出力する。誤り訂正回路は入力されたＴＳ（トランスポートストリーム）の誤り情報を訂正して、地上デジタルモジュールに出力する。
【００３０】
地上デジタルモジュールは、マルチプレクサ、バッファメモリを備えている。
【００３１】
ＴＳには複数の仮想チャンネルの番組が多重化されて送信されている。デマルチプレクサは、これらの仮想チャンネルのうちの１チャンネルのパケットを抽出して、抽出したパケットに格納されているデータをバッファメモリに記憶させる。
【００３２】
信号処理部４は、デコーダ４１、ＯＳＤ合成部４２、調整処理部４３を備える。デコーダ４１は、受信部３内のバッファメモリが記憶するデータを適宜読み出す。そして、読み出したデータから映像データと音声データとを分離する。また、デコーダ４１は、映像データと音声データを伸長する。デコーダ４１は、伸張した音声データをアナログの音声信号にＤ/Ａ変換し、アンプ（不図示）を介して、スピーカ２１、２２に出力する。また、デコーダ４１は、ＯＳＤ合成部４２に映像信号を出力する。
【００３３】
なお、デコーダ４１が音声を出力する機能は、本発明の「音声信号出力部」に相当する。
【００３４】
調整処理部４２は、デコーダ４１でデコードした映像信号の輝度を調整する。具体的には、調整処理部４２は、色相のＲＧＢの階層の値を補正して、全体として暗く見せたり、明るく見せたりする。例えば、入力された０〜２５５階調の色相ｐを関数ｆ（ｐ）＝ｐ/２として補正し、色調を暗く見せたりすることができる。また、関数ｆ（ｐ）＝２５５×ｃｏｓ（（ｐ×0.5π/２５５）−０．５π）として、色調を明るく見せたりすることができる。また、調整処理部４２は、この映像信号のアスペクト比、スケーリングの調整をしてもよい。
【００３５】
ＯＳＤ合成部４３は、文字、キャラクタ等を表示するためのメモリを備えており、このメモリを用いてＯＳＤ（On Screen Display）を合成する。デコーダから映像信号が出力されている場合には、ＯＳＤ合成部４３は、この映像信号とＯＳＤを合成し、出力部６に出力する。また、この映像信号の出力を禁止して、ＯＳＤのみを出力してもよい。
【００３６】
液晶パネル駆動回路１１１は、図１に示した液晶ドライバ１１ａ、１１ｂと、バッファメモリと、パネルクロック生成回路等を備えている。液晶パネル駆動回路１１１は、ＯＳＤ合成部４３から出力された映像信号をこのバッファメモリに一時的に記憶する。パネルクロック生成回路は、液晶パネル１００の動作クロックであるパネルクロックを生成する。液晶パネル駆動回路１１１は、パネルクロックに同期して、バッファメモリに記憶した映像信号を順次取り出して、液晶ドライバ１１ａ、１１ｂに出力する。液晶ドライバ１１ａ、１１ｂのドライバＩＣ１１０ａ、１１０ｂは、ＤＡ変換回路を備えており、信号線より色調に応じた電圧を各画素に印加する。
【００３７】
バックライト駆動回路１１は、高電圧を発生させてバックライト１３に電圧を印加する。また、回路１１は、バックライト１３に出力する電圧を調整する回路を備えている。これにより、回路１１は、表示部１０の明るさを調整する。
【００３８】
制御部５は、マイコンで構成し、ＣＰＵ５１、ＲＡＭ５２、制御データ格納用のＲＯＭ５３を備える。制御部５は、操作部６で受け付けた入力に基づいて、受信部３、信号処理部４と、表示部１０の回路１１１、回路１２の各部の動作を制御する。また、制御部９のＲＯＭは、設定処理５４、目覚まし処理５５を実行するためのサブルーチンを記憶している。
【００３９】
操作部６は、装置本体に対する操作を指示するための入力を受け付ける。操作部８は、電源ボタンや、リモコン装置（不図示）から送信されてきた装置本体に対する制御コードを受信するリモコン受信部６１を有している。これにより、操作部８は、ユーザにより操作された操作キーに応じた入力を受け付け、これらに対応したコードや、リモコン受信部で受信した制御コードを制御部９に伝達する。例えばチャンネル切換や、設定処理５４において、目覚まし予定時刻などの設定を受け付ける。
【００４０】
ここで、より具体的に設定処理５４について説明する。設定処理５４は、目覚まし処理５５の処理内容を設定する処理である。リモコンの所定のボタンが押されると、リモコン受信部６１は、その旨のリモコン信号を送信し、制御部５は、初期設定のＯＳＤ（On Screen Display）を出力するようＯＳＤ合成部４３に指示する。ＯＳＤ合成部４３は、このＯＳＤを出力する。このＯＳＤを出力した状態で、制御部５は、各種設定を受け付け、待機する。例えば、目覚まし処理モードを実行するか否か、目覚まし予定時刻その他の設定を受け付ける。目覚まし処理５４に必要な目覚まし予定時刻の設定がリモコンより入力されると、制御部５は、制御部５内部または制御部５に接続されたフラッシュメモリに設定を記録する。また、リモコン受信部６１内のマイコンに、所定時刻になると液晶テレビ１のメイン電源を立ち上げるよう指示して、この設定処理５４は終了する。なお、その後の目覚まし処理５５では、制御部５が設定処理５４で設定した目覚まし予定時刻等を入力して処理を行う。
【００４１】
次に、図３のフロー図を用いて、目覚まし処理５４について説明する。
【００４２】
なお、このフローが開始するまでは、メイン電源がオフになっており、リモコン受信部６１には電源が入力され、リモコンからの電源オンを待機する状態になっているものとする。また、ＳＴ１、ＳＴ２の処理は、リモコン受信部６１内のマイコン（不図示）がリモコン受信部６１内のタイマー（不図示）を用いて行う。
【００４３】
ＳＴ１で、目覚まし予定時刻（以下、Ｔ１とする。）の３０分前かどうか判断する。目覚まし予定時刻Ｔ１の３０分前である場合には（ＳＴ１のＹＥＳ）ＳＴ２へ進む。そうでない場合には（ＳＴ１のＮＯ）、待機する。
【００４４】
なお、この「目覚まし予定時刻Ｔ１の３０分前」の３０分を時間Ｔ２とする。目覚まし予定時刻Ｔ１の時間Ｔ２前の時刻は、本発明の「予め定めた目覚まし予定時刻より所定時間前」に相当する。また、この３０分は１例であり、設定処理５４により設定する。また、以下の説明で「３０分」というときは、設定処理５４により設定する時間Ｔ２の例示であるものとする。
【００４５】
ＳＴ２で、リモコン受信部６１は、液晶テレビ１のメイン電源をオンにする。リモコン受信部６１には、メイン電源をオンにする電子スイッチが接続されている。ユーザからリモコンの電源ボタンが押された場合、目覚まし処理５５や、スリープタイマーモードで設定した時間になった場合には、この電子スイッチをオンにする。これにより、液晶テレビ１のメイン電源が立ち上がる。設定処理５４により、目覚まし処理５５を実行するモードになっていた場合には、メイン電源が立ち上がった後、制御部５は、目覚まし処理５５を実行する。
【００４６】
ＳＴ３で、制御部５は、バックライトの電圧を、設定できる範囲で最小にするよう、バックライト駆動回路１２に指示する。また、ＯＳＤ合成部４３に指示して、画面を所定の無地の色または静止画にする映像信号を出力させる。このように無地の色とする場合は、白でもよいし、青でもよいし、ほかの色でもよい。ただし、明るい色（バックライトの電圧が通常の状態で表示すると仮定した場合の色をいう。）の方が、目覚めを促しやすい点で好ましい。
ＳＴ４で、所定時間経過したか判断する。ＳＴ４で計測する経過時間（これを時間Ｔ３とする。）は、時間Ｔ２に基づいて定める。その決定方法は後述する。
ＳＴ５で、制御部５から指示を受けて、バックライト駆動回路１２は、バックライト１３の電圧を所定幅ΔＶ増加させる。これにより、液晶パネル１００の表示を明るくする。
【００４７】
ＳＴ６で、現在目覚まし時刻でない限り（ＳＴ６のＮＯ）、ＳＴ４、ＳＴ５を繰り返す。これにより、時間Ｔ２（＝３０分）にわたって、次第に電圧を上げていく。ＳＴ６で、現在目覚まし時刻になれば（ＳＴ６のＹＥＳ）、ＳＴ７に移動する。
【００４８】
なお、目覚まし予定時刻の直前には、液晶テレビ１が出力できる最大の明るさに設定するのがよい。また、通常の視聴状態で表示する明るさにしてもよい。
【００４９】
ＳＴ７で、目覚まし予定時刻には、規定電圧Ｖ０で出力する。これにより、液晶テレビ１を通常通常の視聴状態で表示する明るさで、液晶パネル１００に映像を表示することができる。
【００５０】
ここで、ＳＴ４の経過時間Ｔ４とΔＶの関係を、例えば、ΔＶ×Ｔ２/Ｔ４＝Ｖとすることができる。この場合、時間Ｔ２にわたって均等に電圧を上げるので、Ｔ４＝Ｔ２×（ΔＶ/Ｖ）となる。また、電圧ΔＶの幅を次第に大きくするようにしてもよい。
【００５１】
ＳＴ８で、受信部３は放送を受信する。また、ＳＴ９で、デコーダ４１は、放送の映像信号をデコードして、ＯＳＤ合成部４３に出力する。ＯＳＤ合成部４３は、放送の映像信号を出力する。また、デコーダ４１は、放送の音声信号をスピーカ２１、２２に出力する。その後、図３のフローは終了する。この状態では、通常通り、液晶テレビ１が放送を受信し、液晶パネル１００は、映像を出力し、スピーカ２１、２２が音声を放音している状態となる。
【００５２】
以上の処理によれば、液晶パネル１００の表示を次第に明るくして、ユーザに目覚めを促し、眠りが浅くなった状態で、目覚まし予定時刻になって初めて音声を放音するから、ユーザは、気持ちよく、かつ、より確実に目覚まし予定時刻に目覚めることができる。
【００５３】
次に、図４のフロー図を用いて、図３で示した目覚まし処理５５の応用にかかる目覚まし処理５５の実施例について説明する。このフローは、図３のフローと略同じであるが、ＳＴ３１、ＳＴ５１、ＳＴ７１が異なる。それ以外のステップについては、図３の説明を準用する。ＳＴ３１、ＳＴ５１、ＳＴ７１は、図３のＳＴ３、ＳＴ５、ＳＴ７にそれぞれ対応している。ＳＴ３１、ＳＴ５１、ＳＴ７１では、バックライト１３により明るさを調整するのではなくて、調整処理部４２により色相を補正することにより行う。この方法としては、色相を補正する関数を予め複数用意して、明く表示できる色相の関数へ段階的に切り換える。
【００５４】
図５を用いて、図４で示す目覚まし処理５５に用いる色相を補正する関数の具体例を示す。関数ｆ１〜ｆ５は、図５（Ａ）、（Ｂ）共に、色相を補正する関数の例を示している。ここでは、０を暗い方の階調、２５５を明るい方の階調として説明する。目覚まし予定時刻から時間Ｔ２前で、ｆ１を用い、時間がたつにつれｆ１からｆ６へ段階的に切り換える。図５（Ａ）の例では、ＲＧＢの階調０〜２５５の入出力を直線的に対応させて補正する。ｆ１では、階調を暗く補正し、ｆ２〜ｆ６へ次第に明るくしている。また、ｆ６のように、所定以上の階調では、補正関数の対応関係にサッチレートを生じさせるようにしてもよい。また、図５（Ｂ）のように、曲線的に変化させるようにしてもよい。
【００５５】
以上の実施形態について補足する。
【００５６】
以上の図１の説明では、機能ごとに分離したブロックで説明したが、実装上は、これらの機能のうち、いずれかが複数の機能が一体となったシステムＩＣで構成してもよいし、一つのブロックを複数に分離して構成してもよい。例えば、実装上、デコーダ４１を地上デジタルモジュールに含めるとすることができる。また、信号処理部４、制御部５を１つのシステムＩＣとしてもよい。
【００５７】
図３のＳＴ８の前から、予め受信部３から放送を受信して、かつ、ＯＳＤ合成部４３が映像信号の出力を禁止している状態にしておいてもよい。この場合には、目覚まし予定時刻に、この禁止を解除するようにする。また、このように、Ｔ８の前から、予め受信部３から放送を受信する場合には、映像信号の出力系統のいずれかで、映像信号の出力を禁止していればよく、禁止する処理を行うのは、ＯＳＤ合成部４３に限る必要はない。
【００５８】
受信部３は、公知のアナログ放送を受信する受信部であってもよい。また、必ずしも受信部３を備える必要はなく、外部から映像コンテンツを入力するものでもよい。この場合、この外部から映像コンテンツを入力する入力部が、本発明の「映像信号出力部」に相当する。外部からアナログ映像信号の映像コンテンツを入力する場合や、アナログ放送を受信する場合には、信号処理部４は、適宜、ＡＤコンバータで変換して信号処理を行う。このＡＤコンバータも本発明の「映像信号出力部」に相当する。この場合には、前段落で説明した説明がそのまま当てはまる。すなわち、予め映像信号を入力している状態にしておき、ＯＳＤ合成部４３、映像信号の出力系統で、映像信号の出力を禁止している状態にしておいてもよい。  ＳＴ３〜ＳＴ５では、無地または、静止画を液晶パネル１００に表示するとしたが、これは、同一色にすることにより、画面をより明るく見せるためである。ＳＴ３〜ＳＴ５でも、受信部３から受信した放送や、外部から入力した映像コンテンツをパネル１００に表示してもよいし、装置内部に記憶した映像コンテンツをパネル１００に表示してもよい。ただし、無地または、静止画を液晶パネル１００に表示すれば、画面をより明るく見せることができ、目覚ましをより確実にすることができる可能性があるので好ましい。
【００５９】
設定処理５４では、目覚まし処理モードを実行するか否か、目覚まし予定時刻のほか、前述した３０分（Ｔ２）、Ｔ３の設定や、通常動作時（目覚まし予定時刻のときの）の画面の明るさ、バックライト１３の明るさの設定を受け付けてもよい。
【００６０】
図３のＳＴ１で目覚まし予定時刻の時間Ｔ２前から、液晶パネル１００の表示を次第に明るくするとしたが、パネル１００の表示を明るくするステップＳＴ４、ＳＴ５を始める時間を直接的に指定して、所定時間Ｔ５から次第に明るくするとしてもよい。
【００６１】
また、液晶パネル１００は必ずしも装置本体に内蔵する必要がない。また、スピーカ２１、スピーカ２２も必ずしも装置本体に内蔵する必要はない。映像信号、音声信号を出力する構成がある表示出力装置でも、外部に液晶パネル１００、スピーカを接続することにより、図３で示したステップで実行することができる。これにより、図３と同様の効果を生じさせる。例えば、パソコンや、ＤＶＤプレーヤ、個体メモリプレーヤに、図３で示したフローを具現化するプログラムを記憶して、実行させるなどの方法をとることができる。パソコンで図３の処理をする場合には、操作部６は、マウス、その他のポインテングデバイスとすることも可能である。
【００６２】
リモコン受信部６１を備えるとしたが、必ずしも必要なく、液晶テレビ１本体に制御部５に入力する操作子を設けてもよい。操作部６は、制御部５に対して指示をすることができればよく、その限りでは、液晶パネル１００に設けるタッチパネル等、どのような操作手段でもよい。
【００６３】
図１の説明では、縦方向に並ぶ液晶ドライバ１１ｂを信号線、横方向に並ぶ液晶ドライバ１１ａを走査線として説明したが、縦方向、横方向が逆でもよい。
【００６４】
図１の説明では、バックライト１３は、Ｕ字管とした。しかし、直線状のものでもよく、配置はどのようなものでもよい。液晶パネル１００の表示面の明るさを変えることができればよい。例えば、図１に示すように形の異なるバックライト１３を放射状に複数並べる必要はない。バックライト１３を複数の同一形状とし、これを縦にまたは横に並べて配置してもよい。
【００６５】
また、図３のフローを用いて明るさを調整する場合には、本発明の実施形態としては、必ずしも、調整処理部４２は必要がない。図４のフローを用いる場合には、バックライト駆動回路１２は、一定の電圧を出力できればよく、可変にする必要はない。
【００６６】
図４の処理のうち、信号処理部４、制御部５が、ＳＴ３、ＳＴ５で液晶パネル１００の表示を明るくする処理は、本発明の「表示制御手段」が「表示パネルの表示を次第に明るくするように制御する」処理に対応する。図５の処理のうち、バックライト駆動回路１２、制御部５が行うＳＴ３１、ＳＴ５１も同様である。なお、目覚まし処理５５では、ＳＴ３、ＳＴ３１の処理を同時に行ってもよいし、ＳＴ５、ＳＴ５１の処理を同時に行ってもよい。どのような方法であれ、画面の明るさを制御できればよい。
【００６７】
以上では、液晶テレビを用いて説明したが、表示器１０は、どのようなものでもよい。例えば、ブラウン管でも、プラズマディスプレイでも、有機ＥＬ素子でもよい。それぞれの表示器についての公知の方法で明るさを変えることができる。
【００６８】
図３のＳＴ２では、液晶テレビ１のメイン電源をオンにするとしたが、これは節電のためである。図３の目覚まし処理５５のフローを電源オンの状態から開始してもよい。この場合には、ＳＴ２のステップをスキップする。ＳＴ３では、バックライト１３の電圧を最小としたが、次第に明るくすればよく、必ずしも最小にする必要はない。ただし、電圧が最小の状態から時間をかけて次第に液晶パネル１００の表示面を明るくした方が、自然な目覚めを生じさせる面で望ましいと考えられる。
【００６９】
また、目覚まし予定時刻の直前には、最大の明るさで表示するとしたが、必ずしも最大である必要はない。また、以上の実施形態で説明した「明るさ」を単位面積当たりの明るさである輝度としてもよいが、画面全体で明るければよく、単位面積当たりの明るさである輝度をそれぞれ上げる必要はない。
また、以上では、目覚まし予定時刻になると、放送を受信するとしたが、目覚まし予定時刻の後、一定時間については、表示部１０が最高輝度（即ち白色）で表示し、その後に放送等の映像コンテンツを出力してもよい。
【００７０】
また、図３のＳＴ７、ＳＴ８、図４のＳＴ７１、ＳＴ８では、放送を受信するのではなく、画面全体を最大輝度の表示と、真っ暗の表示とを交互に表示することにより、画面全体を点滅させる構成も可能である。またこの場合には、アラーム音を鳴らすという構成も可能であるし、画面の点滅に同期したリズムでアラーム音を出力してもよい。
【００７１】
さらに、図３のＳＴ７とＳＴ８、図４のＳＴ７１とＳＴ８は、それぞれ、同時でもよく、いずれが先でもよい。
【図面の簡単な説明】
【００７２】
【図１】本発明の実施形態である液晶テレビの透視図である。
【図２】本発明の実施形態である液晶テレビの主要部の構成を示すブロック図である。
【図３】本発明の実施形態である液晶テレビの目覚まし処理を表わすフロー図である。
【図４】図３の目覚まし処理の応用の実施例を表わすフロー図である。
【図５】図４のフローを実行する場合に、調整処理部が色相を補正する処理の説明図である。
【符号の説明】
【００７３】
１−液晶テレビ、  １０−表示部、  １００−液晶パネル、
１１ａ、１１ｂ−液晶ドライバ、  １１０ａ、１１０ｂ−ドライバＩＣ、
１１１−液晶パネル駆動回路、  １３−バックライト、  １５−メイン基板、
１２−バックライト駆動回路、  ２１−スピーカ、  ２２−スピーカ、
３−受信部、  ４−信号処理部、  ４１−デコーダ、
４２−調整処理部、  ４３−ＯＳＤ合成部、
５−制御部、  ５１−ＣＰＵ、  ５２−ＲＡＭ、  ５３−ＲＯＭ、
５４−設定処理、  ５５−目覚まし処理、  ６−操作部、  ６１−リモコン受信部、
１０１−アンテナ
【図１】
2009025263.tif 000003
【図２】
2009025263.tif 000004
【図３】
2009025263.tif 000005
【図４】
2009025263.tif 000006
【図５】
2009025263.tif 000007